(57)【要約】      （修正有）【課題】卵型球をストックで打球して、最小打球数を競う、ゴルフに類似の小規模スポーツを提供する。【解決手段】エッグ・ゴルフは、老若男女全てがプレー出来て、家庭内、親子間の信愛、隣人他人との融和、健康増進を理念とする。プレー場所は家庭内、公民館、老人ホーム、コミュニティー広場、ショッピングモール、お祭り広場、体育館、運動場等で、安価で手軽にスポーツが出来る。必要な器具は、プレー場の広さを表示するアウトラインの用具、卵型球、打球杖、ベース、ポール、ハザードで構成する。プレーの方法はベースから打球を始め、ポールへホールインした最小打数を競う。【選択図】図６
0003134579.tif 000002
【実用新案登録請求の範囲】
【請求項１】
本考案の、エッグ・ゴルフをプレーする必要な用具は、床又は地面に、プレー場の広さを表示する楕円形アウトラインの材料。及び卵型球（数個）。打球杖。ウエストベース、及び、イーストベースは各１個。ノースポール、及び、サウスポールは各１個。ハザード、努力賞、善行賞の各プレート（は当日参加者全員の合議で個数を決定する）。で構成する。
ヱッグ・ゴルフのプレー場の広さの表示と、その外形線について規定する（図１）。
プレー場は楕円形（図１）とし、長径４対短径３の比率の楕円形である事。
外形線（図２）の幅は、家庭のリビングでプレーする時は、アウトライン（外形線）の幅は、２０ミリ幅、又はそれ以上。体育館、運動場、等においては、１００ミリ幅と適宜の幅のテープを使用する。
テープの材質は  繊維紐、薄手ビニールテープ、厚手ビニール紐、ゴムテープ、その他の材質を使い、破損しない、丈夫な材質とする。
厚手ビニール紐、ゴムテープでライン引きの１例を説明する、図２。
幅５０ミリ、長さ１０００ミリの厚手ビニール紐２、をプラスチック繋ぎ手３、で順次繋ぎ、連結し、延長し、プレー場の外形線を形成する。
ヱッグ・ゴルフの卵型球（ボール）について規定する、図３。
ボールの形状は長径1,2対短径１の比率のタマゴ型楕円球である事。
ヱッグ・ゴルフ考案者は長径４８ミリ、対短径４０ミリ。長径３６ミリ、対短径３０ミリの２種を推奨する。
材質は硬質合成樹脂、硬質プラスチック、軽量金属、その他、近似の材質とする。
色は白色、乳白色、縞模様入り、木目模様入り、その他のカラーも可とする。
ヱッグ・ゴルフのストック（打球棒）を規定する、図４。
ストックは杖部５と、握り部６と、打球円７と、杖の下端８、で構成する。杖部５の上端で、握り部６が短い直棒をなして、直角に（Ｌ字型に）繋がる。打球円７は扁平円盤形で、握り部６の１端に接着する、打球円７の材質は半硬質プラスチック及び近似の材質。
ストックの材質は堅牢なる硬質合成樹脂、粘性堅牢な材木、およびその他の材質である。大きさ、長さは平常の杖と近似であるため、ヱッグ・ゴルフのプレーオフでは、平常の杖として使用する事が可能である。
ヱッグ・ゴルフのベース（基地）、について規定する、図５。
ヱッグ・ゴルフのプレー開始は、ウエストベース、イーストベース、から打球する。ベースの大きさは（図５）、厚さ５ミリ、直径３００ミリの軟質プラスチック円盤に外側直径３００ミリ、内側直径２５０ミリのカラー外形線１０を画いた円盤である。
ノースポール、サウスポールを規定する、図７。
ヱッグ・ゴルフのボールを打球してホールインする所をノースポール（図６のＮ）、サウスポール（図６のＳ）の２個とする。ポール、図７は、材質は軟質プラスチック材、直径２００ミリ、グリン色の円形平板１１、厚みは５ミリ、とする。Ａ−Ａの垂直断面の記号１２の円状隆起の高さは１２ミリとする。
ペナルティー（罰則）とハザード（障碍物）を規定する、図８、図９、図１０。
ペナルティーとはヱッグ・ゴルフのプレー中に、プレー人及び、自分の球が、相手ボールに迷惑をかけたり、ハザードに触れたり、乗り上げたり、アウトラインに触れたり、乗り上げたり、アウトライン外に出た、場合に、罰則（ペナルティー）を科す事を言う。
ハザードの種類はロック（岩山）図８、リバー図９、デザート（砂漠、ｄｅｓｅｒｔ）図１０、がある。材質は３物品とも軟質プラスチック材。大きさは、ロック、デザートは直径５００ミリの円形平板。リバーは長さ１０００ミリ、幅３００ミリの長方形平板にしてそれぞれの垂直断面は、Ｂ−Ｂ、Ｃ−Ｃ、Ｄ−Ｄ、で現す。ロック、リバー、デザートの高さ（厚さ）は２０ミリとする。ロックはごつごつの岩山。リバーは川の流れ。デザートはごつごつの砂山を現す。
努力賞、図１１。善行賞、図１２。を規定する。
努力賞、図１１、善行賞、図１２にボールを入れた人は、１０打点数減免する特典を与える。努力賞、善行賞のプレートは材質はともに軟質プラスチック材。大きさは３００ミリの円形平板。高さはＥ−Ｅ、Ｆ−Ｆで示す如く、努力賞図１１、善行賞図１２ともに、高さ２０ミリの円周障碍がある。但し善行賞、図１２は、高さ２０ミリの円周障碍の２方に１００ミリの開口部を設ける。
【請求項２】
本考案は、卵型球をストックで打球して、最小打球数を競う、ゴルフに類似の、小規模スポーツ又は競技である。プレー参加年齢は老若男女全てとする。
プレー場所は家庭のリビング、公民館、老人ホーム、コミュニティー広場、ショッピングモール、お祭り広場、体育館、運動場等で、安価で、手軽に、スポーツが出来る場所とする。
プレーの方法はウエストベース又は、イーストベースから打球を始め。必ず、相手のベースを迂回して、ノースポール又はサウスポールへホールインして最小打数を競う。
プレーする広さを確定するアウトラインの中に、ベース及び、ポールの各プレートは規定の位置へ設置し。ハザード、努力賞、善行賞の各プレートは、参加者の合議で決定の場所に設置する。エッグ・ゴルフの創始者は図６のＡ，Ｂを通る直線状か、Ｎ，Ｓ間の直線上に配置する事を推奨している。
打球の姿勢は厳格な規定はない。これがエッグ・ゴルフの特徴の一ツでもある。前面打ち、背面打ち（人の背中側）、片手打ち、片足立ち打ち、側面打ち（人の左右）、股下背面打ち（自分の背面から股下を通って前方へ打球する、又はその反対）、片手倒立打ち（曲打ち、不可能に近い、挑戦者を募る）、も良しとする。然し参加全員の許可を必要とする。又品位をおとしめる行動は厳禁する。
【考案の詳細な説明】
【技術分野】
【０００１】
本考案のエッグ・ゴルフとは、タマゴ型球をストックで打球して、打点数を競う、ゴルフに類似した、小規模のスポーツである。
【背景技術】
【０００２】
従来、ゴルフに類似したスポーツでは、グランド・ゴルフ、ゲートボール等がある、然し色々な理由で、愛好家が拡大しない現状である。
ゴルフは、大衆化したとは言うものの、まだ、全ての人が楽しむスポーツになっていない。又広大な山野の樹林を伐採して、少数の人が使用している現状は、環境破壊の由々しき問題である。又、グランド・ゴルフ、ゲートボールは、広い体育館ではプレー出来るが、他の屋内ではプレーが出来ない。
【考案の開示】
【考案が解決しようとする課題】
【０００３】
人々が安価に、随時に、居住地で安直にプレーが出来て、健康増進に寄与するスポーツが望まれる。
【０００４】
家庭内では家族の交流が途絶えがちになって、人心の荒廃が常習化している現在、家族が集まったら、家庭のリビングの板間で、和気藹々とプレーが出来て、家族が心の交流と繋がりが出来るスポーツ。老人は身体の筋肉をほぐす事が出来るスポーツ。その様なスポーツの出現が望まれる。
【課題を解決するための手段】
【０００５】
「０００３」「０００４」「０００５」の理由により、小さい運動場、体育館内、公民館内、老人施設の屋内、家庭の屋内（主としてリビング）で随時にプレーできるように、エッグ・ゴルフを考案した。
【考案の効果】
【０００６】
小さい運動場、体育館内、公民館内、老人施設の屋内、家庭の板敷きリビングがあって、友人、家族が集まれば、即時プレー出来る。出費は、競技以外では、必要ない。
【０００７】
健康を増進し、家族、人心の融和を増進する。
【０００８】
老若男女、どんな人でもプレーが出来る。
【考案を実施するための最良の形態】
【０００９】
ヱッグ・ゴルフのプレー場の形態、即ちアウトラインは、ヱッグ・ゴルフ考案者が制定した長径４対短径３の比率の、楕円形とするが、楕円形の広さは、当日のプレー参加者間の申し合わせで、決定する。
【実施例】
【００１０】
以下、添付図面に従って実施例を説明する。
ヱッグ・ゴルフのプレー場、について説明する、図１。
プレー場の形態の外形線は長径４対短径３の比率の楕円形を厳守する。
但し、時と場所により、楕円形の比率は、長径４対短径３の比率の近似値でも良い。
プレー場の広さの２例を示す、１例目は長径４メートル対、短径３メートル。２例目は長径２４メートル対、短径１８メートルとなる。
ヱッグ・ゴルフのプレー場のアウトラインの作図法、を説明する、図１。
１例目の長径４メートル対、短径３メートルの楕円を作る場合は、2,64メートルの距離にA,B点（これが楕円形の２焦点となる。これをウエストベース、イーストベースとする）を作り目印の棒を立てる。ＡＢ間を線引きする。線の中心点をＣ点とする。Ｃ点でＡＢ線に直角の線を引く。直角線上に、Ｃ点から1,5メートルの距離に、Ｎ点を作り、ＡからＮ、ＮからＢと紐をピンと張って連結する。Ａ，Ｂだけ紐を棒に結ぶ。Ｎ点にチョークを立てて、紐をピンと張って、チョークの軌跡を床上に描記すると、楕円が描ける。詳しくは楕円方程式を使う事を勧める。
【００１１】
ヱッグ・ゴルフのプレー場の外形線、図２、について説明する。
外形線の幅は、家庭のリビングでプレーする時は、アウトライン（外形線）の幅は、２０ミリ幅、又はそれ以上。体育館、運動場、等においては、１００ミリ幅と適宜の幅のテープを使用する。
テープの材質は石灰粉末液でライン引く、或いは繊維紐、薄手ビニールテープ、厚手ビニール紐、ゴムテープ、その他の材質を使い、破損しない、丈夫な材質とする。
厚手ビニール紐、ゴムテープでライン引きの１例を説明する、図２。幅５０ミリ、長さ１０００ミリの厚手ビニール紐２、をプラスチック繋ぎ手３、で順次繋ぎ、連結し、延長し、プレー場の外形線とする。
【００１２】
ヱッグ・ゴルフのボールについて説明する、図３。
ボールは鶏卵型にして長径1,2対短径1の比率を厳守する。
ヱッグ・ゴルフ考案者は長径４８ミリ、対短径４０ミリ。長径３６ミリ、対短径３０ミリを推奨する。
但し、時と場所により、鶏卵形の比率は、長径１，２対短径１の比率の近似値でも良い
材質は硬質合成樹脂、硬質プラスチック、軽量金属、その他、近似の材質とする。
色は白色、乳白色、縞模様入り、木目模様入り、その他のカラーも可とする。
【００１３】
ヱッグ・ゴルフのストック（打球棒）を説明する、図４。
ストックは杖部５、と握り部６、と打球円７、と杖の下端８、で構成する。杖部５の上端で、握り部６が短い直棒をなして、直角に繋がる。打球円７は扁平円盤形で、握り部６の１端に接着する、材質は半硬質プラスチック及び近似の材質。
ストックの材質は堅牢なる硬質合成樹脂、粘性堅牢な材木、およびその他の材質である。大きさ、長さは平常の杖と近似であるため、ヱッグ・ゴルフのプレーオフでは、平常の杖として使用出来る。
【００１４】
ヱッグ・ゴルフのベース（基地）１０、について説明する、図５。
ヱッグ・ゴルフのプレー開始は、ベース１０、から打球する。ベースの大きさは、厚さ５ミリ、直径３００ミリの軟質プラスチック円盤に外直径３００ミリ、内直径２５０ミリのカラー外形線１０を画いた円盤である。
【００１５】
ノースポール（図６のＮ）、サウスポール（図６のＳ）を説明する、図６、図７。
ヱッグ・ゴルフのボールを打球してホールインする所をノースポール（図６のＮＳ、サウスポール（図６のＳ）の２個とする。ポール、図７は、材質は軟質プラスチック材、直径２００ミリ、グリン色の円形平板１１の厚みは５ミリ、とする。Ａ−Ａの垂直断面は記号１２で現す。
【００１６】
ペナルティー（罰則）を説明する、図８、図９、図１０。
ペナルティーとはヱッグ・ゴルフのプレー中に、相手ボールに迷惑をかけたり、ハザードに触れたり、乗り上げたり、アウトラインに触れたり、乗り上げた場合に、罰則（ペナルティー）を科す事を言う。ハザードの種類はロック（岩山）図８、リバー図９、デザート（砂漠、desert）図１０、がある。材質は３物品とも軟質プラスチック材。大きさは、ロック、デザートは直径５００ミリの円形平板。リバーは長さ１０００ミリ、幅３００ミリの長方形平板にしてそれぞれの垂直断面は、Ｂ−Ｂ，Ｃ−Ｃ，Ｄ−Ｄ，で現す。ロックはごつごつの岩山。リバーは川の流れ。デザートはごつごつの砂山を現す。
【００１７】
努力賞、図１１。善行賞、図１２。を説明する。
努力賞図１１、善行賞図１２にボールを入れた人は、１０打点数減免する特典を与える。努力賞、善行賞は材質はともに軟質プラスチック材。大きさは３００ミリの円形平板。高さはＥ−Ｅ，Ｆ−Ｆで示す如く、努力賞図１１、善行賞図１２ともに、高さ１５ミリの円周障碍がある。但し善行賞、図１２は、高さ１５ミリの円周障碍の２方に１００ミリの開口部を設ける。
【００１８】
ヱッグ・ゴルフのプレー場のホームベース図５、（基地、イーストべース、ウエストベースの２個がある）の位置を図６で説明する。
イーストベース、ウエストベースは共に、ヱッグ・ゴルフの楕円形の２個の焦点に設置（図６のＡ、Ｂ）する。打球開始はイーストベース、ウエストベース（図６のＡ、Ｂ）から開始する。
【００１９】
ノースポール、サウスポールは、地球の北極、南極を意味するもので、図１のＮ、Ｓ、に示す如く、プレー場のアウトラインに接して、設置する。プレーする人がノースポール、サウスポールにボールをホールインして、プレーの１ラウンドは終了する。何ラウンドプレーするかは、参加全員の協議で決める。
【００２０】
ペナルティーのロック図８、リバー図９、デザート１０図、努力賞図１１、善行賞図１２のプレートの設置個数と設置位置は、プレー催行時の参加全員が協議して決定する。
【００２１】
ヱッグ・ゴルフのプレーの方法について述べる、図６。
最初の打球はウエストベース（図６のＡ）から、打ち初めて、必ず、相手のイーストベース（図６のＢ）を迂回して、打数を重ねて、ノースポール（図６のＮ）に入れる。
又は、イーストベース（図６のＢ）から、打ち始めた場合は、必ず、相手のウエストベース（図６のＡ）を迂回して、ボールをサウスポール（図６のＳ）にホールインする。最小の打球数で勝敗を決める。
【００２２】
ハザードに触れるか、ハザードに乗り上げた場合、および、プレー場のアウトラインに、触れるか、乗り上げた場合は、５打点数を増加する。
しかして、ハザードの５００ミリ手前の距離にボールをおいて、プレーを続行する。ハザードに乗り上げた場合は、そのまま、プレーを続行する事も可とする。
【００２３】
他人の球に接触するか、ぶつかった場合は５打点数を増加する。他の球に接触するか、ぶつかって、他の球を、アウトラインの外に押し出した場合は１０打点数を増加する。
【００２４】
ヱッグ・ゴルフのプレーを、存続させ、飽きずに永続させるポイントは、ペナルティーとハザードを多用する事である。
【００２５】
ストックでボールの打ち方を説明する。
ストックの持ち方の厳格な規定は無い。人は前かがみに仕事をする時間が長いから、ヱッグ・ゴルフのプレーの時に、人は思いっきり後ろへ反り返って、胸襟を開いて、ストレスを吐き出し、後ろ打ち（身体の背後で打つ）、片手打ち、片足立ち打ち、をする事も良しとする。
【００２６】
厳守すべき事項を説明する。
マンション、アパート等集合住宅内でプレーする時は図１３のような継ぎ手のあるゴム質又は類似の防音床マットを使用して、階下、上階、両隣の住人に迷惑しないようにする事。
【００２７】
ヱッグ・ゴルフの理念は、家族の和合、近隣との友愛、健康増進が理念であるから、ヱッグ・ゴルフを通じて、親子、夫婦、家族の信頼と和合。隣家、マンションの隣室の住人と善隣、友好のチャンスとする事。
【００２８】
エッグ・ゴルフの発展を心がけるには、ヱッグ・ゴルフを通じて隣家、隣室の住人と協調、友好の輪を広げ、ヱッグ・ゴルフを、安価で、安直で、安心して、心と身体の健康の最良のスポーツとして、長く愛好し、存続するように心がける事。
【図面の簡単な説明】
【００２９】
【図１】本考案のエッグ・ゴルフのプレー場の平面図
【図２】エッグ・ゴルフのプレー場のアウトラインの設置方法
【図３】エッグ・ゴルフのボールの平面図と垂直断面図
【図４】ストック（打球棒）の立面図と上面図と側面図
【図５】ヱッグ・ゴルフのプレー場のベースの平面図と垂直断面図
【図６】ヱッグ・ゴルフのプレー場のベースとポールの位置図
【図７】ヱッグ・ゴルフのプレー場のポールの平面図と垂直断面図
【図８】ロック・ハザードの平面図と垂直断面図
【図９】リバー・ハザードの平面図と垂直断面図
【図１０】デザート・ハザードの平面図と垂直断面図
【図１１】努力賞の平面図と垂直断面図
【図１２】善行賞の平面図と垂直断面図
【図１３】騒音防止床マットの部分図
【符号の説明】
【００３０】
Ａ      ウエストベース
Ｂ      イーストベース
Ｃ      ヱッグ・ゴルフのアウトラインの作図上の中心点
Ｎ      ノースポール
Ｓ      サウスポール
２      ヱッグ・ゴルフのアウトラインの厚手ビニール紐、ゴムテープ類の部品２、とプラスチック繋ぎ手３
５      ストック（打球棒）
６      ストックの握り部
７      打球円
８      ストックの下端
１０    ウエストベース、イーストベースのカラーの円  
１１    ノースポール、サウスポールの厚み
１２    ノースポール、サウスポールの円状隆起の高さ
Ａ，Ａ  ノースポール、サウスポールの垂直断面線
Ｂ，Ｂ  ロック・ハザードのプレートの垂直断面線
Ｃ，Ｃ  リバー・ハザードのプレートの垂直断面線
Ｄ，Ｄ  デザート・ハザードのプレートの垂直断面線
Ｅ，Ｅ  努力賞のプレートの垂直断面線
Ｆ，Ｆ  善行賞のプレートの垂直断面
【図１】
0003134579.tif 000003
【図２】
0003134579.tif 000004
【図３】
0003134579.tif 000005
【図４】
0003134579.tif 000006
【図５】
0003134579.tif 000007
【図６】
0003134579.tif 000008
【図７】
0003134579.tif 000009
【図８】
0003134579.tif 000010
【図９】
0003134579.tif 000011
【図１０】
0003134579.tif 000012
【図１１】
0003134579.tif 000013
【図１２】
0003134579.tif 000014
【図１３】
0003134579.tif 000015
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
本考案のエッグ・ゴルフは卵型球をストックで打球して、最小打球数を競う、ゴルフに類似の、娯楽兼、小規模スポーツにして、
１，ヱッグ・ゴルフの卵型球の形状は、
長径、対、短径の比率は１，２：１の比率の鶏卵型楕円球にして、長径、約４８ミリ、短径、約４０ミリ、乃至、長径、約３６ミリ、短径、約３０ミリの間を標準とし、近似の大きさも可とする、
材質は硬質合成樹脂、硬質プラスチック、半硬質プラスチック、軟質プラスチック、軽量金属、ゴム、皮、その他、類似の材質とする、
色は白色、乳白色、マーブル柄、縞模様入り、木目模様入り、その他のカラーも可とする
、
２，ストックの形状は、
杖部５と、握り部６と、打球円７と、杖の下端８、で構成する、杖部５の上端で、握り部６が短い直棒をなして、直角に繋がる、打球円７は扁平円盤形で、握り部６の１端に接着する、
ストックの材質は堅牢なる合成樹脂、堅牢な材木、および類似の材質、打球円７の材質は半硬質プラスチック及び近似の材質とする、ストックの大きさ、長さ、太さは一般的に使用する杖と大差はない、
以上の１，２を特徴とするエッグ・ゴルフの用具。
【請求項２】
本考案のエッグ・ゴルフは、アウトライン、ウエストベース、イーストベース、ノースポール、サウスポール、ロックハザード、デザートハザード、リバーハザード、努力賞プレート、善行賞プレートの用具で構成する、
３，アウトラインは家屋内の床又は、屋外、野外の地面に、プレー場の広さと境界を明示する用具である、アウトラインの形状は、長径、対、短径の比率は、４対３の比率の楕円形とする、
アウトラインの幅は、家屋内でプレーする時は、幅、約２０ミリ、又はそれ以上であり、体育館、運動場、野外、等においては、幅、約５０ミリ〜１００ミリと、プレー場の広さに応じた、適宜の幅のテープを使用する、
テープの材質は  繊維紐、薄手ビニールテープ、厚手ビニール紐、ゴムテープ、その他の材質を使い、破損しない、丈夫な材質とする、
厚手ビニール紐でアウトラインを形成する手順を以下に記載する、
幅、約５０ミリ、長さ、約１０００ミリの厚手ビニール紐２，をプラスチック繋ぎ手３，で順次繋ぎ、連結し、延長し、プレー場のアウトラインを形成する、
４，ウエストベースと、イーストベースの位置はプレー場の楕円形の長軸線上のＡ，Ｂ
に設置する、ウエストベースと、イーストベースの形状は、厚さ約５ミリ、直径約３００ミリの円盤にして、外側直径約３００ミリ、内側直径約２５０ミリの同心円の円環、にカラー彩色した、形状である，材質は軟質プラスチック、及び類似の材質とする、
５，ヱッグ・ゴルフのボールを打球してホールインするノースポールと、サウスポールの２個の位置は、プレー場の楕円形の短軸線上のＮ，Ｓ位置に設置する、
ノースポール、サウスポールの形状は、直径、約２００ミリ、厚み約５ミリの円形平板にして、カラーは自由とする、Ａ−Ａの垂直断面の円形隆起環の高さは約１２ミリとする、材質は軟質プラスチック、及び類似の材質とする、
６，ヱッグ・ゴルフのプレー中にプレーの規則に違反した場合、ペナルティーを科せられる、ペナルティーは、ロックハザード、デザートハザード、リバーハザードの用具で構成する、ロックハザード、デザートハザード、リバーハザード、の各プレートは、楕円形の長軸線上のＡ，Ｂ及び、楕円形の短軸線上Ｎ，Ｓの周囲に配置する、
ロックハザード、デザートハザードの形状は、直径約５００ミリの円形平板、リバーハザードの形状は長さ約１０００ミリ、幅約３００ミリの長方形平板にして、３用具の垂直断面は、Ｂ，Ｂ．Ｃ，Ｃ．Ｄ，Ｄで現す、ロック、リバー、デザート、の３用具の高さは約２０ミリとする、材質は３用具とも軟質プラスチック材、及び類似の材質で、ロックプレートはごつごつの岩山、リバープレートは川の流れ、デザートプレートはごつごつの砂礫を表現する、
７、努力賞プレート、善行賞プレート、にボールを入れた人は、１０打点数、を減じる特典を受ける、努力賞プレート、善行賞プレートの各プレートは、楕円形の短軸線上Ｎ，Ｓの周囲に配置する、努力賞プレート、善行賞プレート、の形状は約３００ミリの円形平板にして、高さはＥ，Ｅ．Ｆ，Ｆで示す如く、努力賞プレート、善行賞プレートともに約１５ミリの円周障碍がある、但し善行賞プレートは、高さ１５ミリの円周障碍の２方に幅約１００ミリの開口部を設ける、努力賞プレート、善行賞プレートの材質は軟質プラスチック材及び類似の材質とする、
以上の如く、エッグゴルフをプレーするに必要な用具（１，２）を特徴とする請求項１に記載した用具と、エッグゴルフに必要な用具（３，４，５，６，７，）を具えた、エッグゴルフの用具。
【手続補正書】
【提出日】平成19年6月7日(2007.6.7)
【手続補正１】
【補正対象書類名】実用新案登録請求の範囲
【補正対象項目名】全文
【補正方法】変更
【補正の内容】
【実用新案登録請求の範囲】
【請求項１】
本考案のエッグ・ゴルフは卵型球をストックで打球して、最小打球数を競う、ゴルフに
類似の、娯楽兼、小規模スポーツにして、
１，エッグ・ゴルフの卵型球の形状は、
長径１．２対、短径１の比率の鶏卵型楕円球にして、長径、約４８ミリ、短径、約４０ミ
リ、乃至、長径、約３６ミリ、短径、約３０ミリの間を標準とする形状である、材質は硬
質合成樹脂、硬質プラスチック、半硬質プラスチック、軟質プラスチック、金属、軽量金
属、ゴム、皮、木質の材質とする、鶏卵型球の表面の色彩は、白色から黒色に至る全ての
カラーの内、選択したカラーを着色する事とする、更に、許可した企業名、商標、標語、
キャラクターの画図を表面に、着色、塗付、描画する事を可とする、
２，エッグ・ゴルフのストックの形状は、
杖部５と、握り部６と、打球円７と、杖の下端８、で構成する、杖部５の上端で、握り部
６が短い直棒をなして、直角に繋がる形状とする、打球円７は扁平円盤形で、握り部６の
１端に接着する、
ストックの材質は堅牢且つ柔剛性を備える合成樹脂、材木、金属、軽金属の材質とし、打
球円７の材質は半硬質プラスチックの材質とする、
以上の１，２を特徴とするエッグ・ゴルフの用具。
【請求項２】
本考案のエッグ・ゴルフは、アウトライン、ウエストベース、イーストベース、ノース
ポール、サウスポール、ロックハザード、デザートハザード、リバーハザード、努力賞プ
レート、善行賞プレートの用具で構成する、
３，エッグ・ゴルフのアウトラインは家屋内の床又は、屋外、野外の地面に、プレー場
の広さと境界を明示する用具である、アウトラインの形状は、長径、対、短径の比率は、
４対３の比率の楕円形とする、
アウトラインの幅は、家屋内でプレーする時は、幅、約２０ミリ、又はそれ以上であり、
体育館、運動場、野外、等においては、幅、約５０ミリ〜１００ミリと、プレー場の広さ
に応じた、適宜の幅のテープを使用する、
テープの材質は  繊維紐、薄手ビニールテープ、厚手ビニール紐、ゴムテープ、その他の
材質を使い、破損しない、丈夫な材質とする、
厚手ビニール紐でアウトラインを形成する手順を以下に記載する、
幅、約５０ミリ、長さ、約１０００ミリの厚手ビニール紐２，をプラスチック繋ぎ手３，
で順次繋ぎ、連結し、延長し、エッグ・ゴルフのプレー場のアウトラインを形成する、
４，ウエストベースと、イーストベースの位置はプレー場の楕円形の長軸線上のＡ，Ｂ
に設置する、ウエストベースと、イーストベースの形状は、厚さ約５ミリ、直径約３００
ミリの円盤にして、外側直径約３００ミリ、内側直径約２５０ミリの同心円の円環、にカ
ラー彩色した、形状である，材質は軟質プラスチックの材質とする、
５，ヱッグ・ゴルフのボールを打球してホールインするノースポールと、サウスポール
の２個の位置は、プレー場の楕円形の短軸線上のＮ，Ｓ位置に設置する、
ノースポール、サウスポールの形状は、直径、約２００ミリ、厚み約５ミリの円形平板に
して、カラーは自由とする、Ａ−Ａの垂直断面の円形隆起環の高さは約１２ミリとする、
材質は軟質プラスチックの材質とする、
６，ヱッグ・ゴルフのプレー中にプレーの規則に違反した場合、ペナルティーを科せら
れる、ペナルティーは、ロックハザード、デザートハザード、リバーハザードの用具で構
成する、ロックハザード、デザートハザード、リバーハザード、の各プレートは、楕円形
の長軸線上のＡ，Ｂ及び、楕円形の短軸線上Ｎ，Ｓの周囲に配置する、
ロックハザード、デザートハザードの形状は、直径約５００ミリの円形平板、リバーハ
ザードの形状は長さ約１０００ミリ、幅約３００ミリの長方形平板にして、３用具の垂直
断面は、Ｂ，Ｂ．Ｃ，Ｃ．Ｄ，Ｄで現す、ロック、リバー、デザート、の３用具の厚み、
高さは約２０ミリとする、材質は３用具とも軟質プラスチック材の材質で、ロックプレー
トはごつごつの岩山、リバープレートは川の流れ、デザートプレートはごつごつの砂礫を
表現す
る、
７，努力賞プレート、善行賞プレート、にボールを入れた人は、１０打点数、を減じる
特典を受ける、努力賞プレート、善行賞プレートの各プレートは、楕円形の短軸線上Ｎ，
Ｓの周囲に配置する、努力賞プレート、善行賞プレート、の形状は約３００ミリの円形平
板にして、高さはＥ，Ｅ．Ｆ，Ｆで示す如く、努力賞プレート、善行賞プレートともに約
１５ミリの円周障碍を有する高さとする、但し善行賞プレートは、高さ１５ミリの円周障
碍の２方に幅約１００ミリの開口部を設ける、努力賞プレート、善行賞プレートの材質は
軟質プラスチックの材質とする、
以上の如く、エッグゴルフをプレーするに必要な用具（１，２）を特徴とする請求項１
に記載した用具と、エッグゴルフに必要な用具（３，４，５，６，７，）を具えた、エッ
グゴルフの用具。